(57)【要約】【課題】ユーザーの要望に対応して手軽にカスタマイズして導入するとともに、所定のセンサーを用いて所定の指示や注文などの内容を予め登録した連絡先へ簡単に知らせる、または、所定のファイルに履歴を簡単に記録することができるセンサーシステムを提供する。【解決手段】センサーシステム１００は、所定のセンサー（１１０Ａ〜１１０Ｆ）と、所定のセンサー（１１０Ａ〜１１０Ｆ）と通信自在である制御端末（１２０）とを備え、制御端末（１２０）が、所定のセンサー（１１０Ａ〜１１０Ｆ）のセンシング状況の変化に起因して所定の内容を所定の連絡先へ通知する、または所定の内容を所定のファイルに記録する構成であり、所定の内容および所定の連絡先または所定のファイルが、制御端末（１２０）の表示画面１２１上において設定自在な構成である。【選択図】図１
2019140422.tif 000002
【特許請求の範囲】
【請求項１】
所定のセンサーと、所定のセンサーと通信自在である制御端末とを備えたセンサーシステムであって、
前記制御端末が、前記所定のセンサーのセンシング状況の変化に起因して所定の内容を所定の連絡先へ通知する、または所定の内容を所定のファイルに記録する構成であり、
前記所定の内容および所定の連絡先または所定のファイルが、前記制御端末の表示画面上において設定自在な構成であることを特徴とするセンサーシステム。
【請求項２】
前記所定のセンサーが、ボタンセンサーであり、
前記制御端末が、前記ボタンセンサーのセンシング状況の変化に起因して所定の内容を所定の連絡先へ通知する構成であることを特徴とする請求項１に記載のセンサーシステム。
【請求項３】
前記所定のセンサーが、アンケートの質問に対する回答の選択肢と対応した複数のボタンセンサーであり、
前記制御端末が、前記ボタンセンサーのセンシング状況の変化に起因して所定の内容を所定のファイルに記録する構成であることを特徴とする請求項１に記載のセンサーシステム。
【請求項４】
前記所定のセンサーが、加速度センサーまたはジャイロセンサーであり、
前記制御端末が、前記加速度センサーまたはジャイロセンサーのセンシング状況の変化に起因して所定の内容を所定のファイルに記録する構成であることを特徴とする請求項１に記載のセンサーシステム。
【請求項５】
前記所定のセンサーが、焦電センサーであり、
前記制御端末が、前記焦電センサーのセンシング状況の変化に起因して所定の内容を所定のスピーカを用いて音声で通知する構成であることを特徴とする請求項１に記載のセンサーシステム。
【請求項６】
前記所定のセンサーが、ボタンセンサーであり、
前記制御端末が、前記ボタンセンサーのセンシング状況の変化に起因して所定の内容を所定のスピーカを用いて音声で通知する構成であることを特徴とする請求項１に記載のセンサーシステム。
【請求項７】
個人識別手段をさらに有し、
前記所定のセンサーが、ボタンセンサーであり、
前記個人識別手段がユーザーを特定するとともに、前記制御端末が、前記ボタンセンサーのセンシング状況の変化に起因して出退勤の内容をユーザーと対応させて所定のファイルに記録する構成であることを特徴とする請求項１に記載のセンサーシステム。
【請求項８】
前記所定のセンサーが、焦電センサーであり、
前記制御端末が、前記焦電センサーのセンシング状況の変化に起因して所定の内容を所定のファイルに記録する構成であることを特徴とする請求項１に記載のセンサーシステム。
【請求項９】
前記所定のセンサーが、照度センサーまたは温度・湿度センサーであり、
前記制御端末が、前記照度センサーまたは温度・湿度センサーのセンシング状況の変化に起因して変化した旨を所定の連絡先へ通知する構成であることを特徴とする請求項１に記載のセンサーシステム。
【請求項１０】
前記制御端末が、時間制御部をさらに有し、
所定時刻になったとき、前記制御端末が、前記照度センサーまたは温度・湿度センサーのセンシング状況を所定の連絡先へ通知する構成であることを特徴とする請求項９に記載のセンサーシステム。
【発明の詳細な説明】
【技術分野】
【０００１】
本発明は、所定のセンサーと、所定のセンサーのセンシング状況の変化に起因して所定の内容を所定の連絡先へ通知する、または所定の内容を所定のファイルに記録する通知・記録手段とを有しているセンサーシステムに関する。
【背景技術】
【０００２】
従来、１又は複数のセンサーと、複数の位置各々と報知タイミングとの対応を示す予め定められたタイミング情報を記憶する記憶部と、センサーにより検知された、住宅に設置されたコンロの状態を示すコンロ情報と居住者の所在位置を示す位置情報とを取得する取得部と、タイミング情報に従い、取得部により取得されたコンロ情報及び位置情報に基づいて、コンロが点火している場合に居住者の所在位置に応じた報知タイミングで報知が行われるように制御する制御部とを含み、住宅の居住者を見守り、一定条件下で報知を行う見守りシステムが知られている（例えば、特許文献１）。
【先行技術文献】
【特許文献】
【０００３】
【特許文献１】特開２０１６−１０３０８３号公報
【発明の概要】
【発明が解決しようとする課題】
【０００４】
しかしながら、上述した従来の見守りシステムは、ユーザーの要望に応じてカスタマイズすることが困難であったため、ユーザーの要望に対応して手軽に導入することが困難であるという問題があった。
【０００５】
そこで、本発明は、前述したような従来技術の問題を解決するものであって、すなわち、本発明の目的は、ユーザーの要望に対応して手軽にカスタマイズして導入するとともに、所定のセンサーを用いて所定の指示や注文などの内容を予め登録した連絡先へ簡単に知らせる、または、所定のファイルに履歴を簡単に記録することができるセンサーシステムを提供することである。
【課題を解決するための手段】
【０００６】
本請求項１に係る発明は、所定のセンサーと、所定のセンサーと通信自在である制御端末とを備えたセンサーシステムであって、前記制御端末が、前記所定のセンサーのセンシング状況の変化に起因して所定の内容を所定の連絡先へ通知する、または所定の内容を所定のファイルに記録する構成であり、前記所定の内容および所定の連絡先または所定のファイルが、前記制御端末の表示画面上において設定自在な構成であることにより、前述した課題を解決するものである。
【０００７】
本請求項２に係る発明は、請求項１に記載されたセンサーシステムの構成に加えて、前記所定のセンサーが、ボタンセンサーであり、前記制御端末が、前記ボタンセンサーのセンシング状況の変化に起因して所定の内容を所定の連絡先へ通知する構成であることにより、前述した課題をさらに解決するものである。
【０００８】
本請求項３に係る発明は、請求項１に記載されたセンサーシステムの構成に加えて、前記所定のセンサーが、アンケートの質問に対する回答の選択肢と対応した複数のボタンセンサーであり、前記制御端末が、前記ボタンセンサーのセンシング状況の変化に起因して所定の内容を所定のファイルに記録する構成であることにより、前述した課題をさらに解決するものである。
【０００９】
本請求項４に係る発明は、請求項１に記載されたセンサーシステムの構成に加えて、前記所定のセンサーが、加速度センサーまたはジャイロセンサーであり、前記制御端末が、前記加速度センサーまたはジャイロセンサーのセンシング状況の変化に起因して所定の内容を所定のファイルに記録する構成であることにより、前述した課題をさらに解決するものである。
【００１０】
本請求項５に係る発明は、請求項１に記載されたセンサーシステムの構成に加えて、前記所定のセンサーが、焦電センサーであり、前記制御端末が、前記焦電センサーのセンシング状況の変化に起因して所定の内容を所定のスピーカを用いて音声で通知する構成であることにより、前述した課題をさらに解決するものである。
【００１１】
本請求項６に係る発明は、請求項１に記載されたセンサーシステムの構成に加えて、前記所定のセンサーが、ボタンセンサーであり、前記制御端末が、前記ボタンセンサーのセンシング状況の変化に起因して所定の内容を所定のスピーカを用いて音声で通知する構成であることにより、前述した課題をさらに解決するものである。
【００１２】
本請求項７に係る発明は、請求項１に記載されたセンサーシステムの構成に加えて、個人識別手段をさらに有し、前記所定のセンサーが、ボタンセンサーであり、前記個人識別手段がユーザーを特定するとともに、前記制御端末が、前記ボタンセンサーのセンシング状況の変化に起因して出退勤の内容をユーザーと対応させて所定のファイルに記録する構成であることにより、前述した課題をさらに解決するものである。
【００１３】
本請求項８に係る発明は、請求項１に記載されたセンサーシステムの構成に加えて、前記所定のセンサーが、焦電センサーであり、前記制御端末が、前記焦電センサーのセンシング状況の変化に起因して所定の内容を所定のファイルに記録する構成であることにより、前述した課題をさらに解決するものである。
【００１４】
本請求項９に係る発明は、請求項１に記載されたセンサーシステムの構成に加えて、前記所定のセンサーが、照度センサーまたは温度・湿度センサーであり、前記制御端末が、前記照度センサーまたは温度・湿度センサーのセンシング状況の変化に起因して変化した旨を所定の連絡先へ通知する構成であることにより、前述した課題をさらに解決するものである。
【００１５】
本請求項１０に係る発明は、請求項９に記載されたセンサーシステムの構成に加えて、前記制御端末が、時間制御部をさらに有し、所定時刻になったとき、前記制御端末が、前記照度センサーまたは温度・湿度センサーのセンシング状況を所定の連絡先へ通知する構成であることにより、前述した課題をさらに解決するものである。
【発明の効果】
【００１６】
本発明のセンサーシステムは、所定のセンサーを有していることにより、センシング状況の変化を検知することができるばかりでなく、以下のような特有の効果を奏することができる。
【００１７】
本請求項１に係る発明のセンサーシステムによれば、所定の内容、所定の連絡先や所定のファイルが制御端末の表示画面上において設定自在なため、ユーザーの要望に対応して手軽にカスタマイズして導入することができる。
さらに、通知する構成の場合、所定のセンサーのセンシング状況が変化すると所定の内容が所定の連絡先へ通知されるため、所定の指示や注文などの内容を予め登録した連絡先へ簡単に知らせることができる。
また、記録する構成の場合、所定のセンサーのセンシング状況が変化すると所定の内容が所定のファイルに記録されるため、所定のファイルに履歴を簡単に記録することができる。
【００１８】
本請求項２に係る発明のセンサーシステムによれば、請求項１に係る発明が奏する効果に加えて、ユーザーによってボタンセンサーが押されると所定の内容が所定の連絡先へ通知されるため、所謂、ワンタッチで所定の指示、呼び出しや注文などの内容を予め登録した連絡先へ直ちに知らせることができる。
【００１９】
本請求項３に係る発明のセンサーシステムによれば、請求項１に係る発明が奏する効果に加えて、匿名アンケートの質問に対して回答がボタンセンサーで押されることで選択肢の内容が所定のファイルに記録されるため、匿名アンケートの回答を簡単に集計することができる。
【００２０】
本請求項４に係る発明のセンサーシステムによれば、請求項１に係る発明が奏する効果に加えて、加速度センサーまたはジャイロセンサーが取り付けられたもの、例えばドアが動くと、その度に動いた旨が所定のファイルに記録されるため、所定のファイルに履歴を簡単に記録することができる。
【００２１】
本請求項５に係る発明のセンサーシステムによれば、請求項１に係る発明が奏する効果に加えて、人が近づいたときに音声で所定の内容のお知らせが通知されるため、その人にお知らせや注意を簡単に伝えることができる。
【００２２】
本請求項６に係る発明のセンサーシステムによれば、請求項１に係る発明が奏する効果に加えて、ユーザーによってボタンセンサーが押されると所定の内容がスピーカを用いて音声で通知されるため、所謂、ワンタッチで所定の連絡事項などの内容を多数の人に知らせることができる。
【００２３】
本請求項７に係る発明のセンサーシステムによれば、請求項１に係る発明が奏する効果に加えて、ボタンセンサーを押すだけで出退勤が記録されるとともに個人が特定されるため、特定された個人と対応させて出退勤情報を簡単に記録することができる。
【００２４】
本請求項８に係る発明のセンサーシステムによれば、請求項１に係る発明が奏する効果に加えて、人が近くを通過すると所定のファイルにその旨が記録されるため、通行人を簡単にカウントすることができる。
【００２５】
本請求項９に係る発明のセンサーシステムによれば、請求項１に係る発明が奏する効果に加えて、所定のセンサーが照度センサーである場合、部屋の照明機器のスイッチが操作されて照度が変化すると通知されるため、管理者は照明の使用状況を把握することができる。
また、所定のセンサーが温度・湿度センサーである場合、部屋のエアコン機器（空気調和設備）のスイッチが操作されて温度・湿度が変化すると通知されるため、管理者はエアコン機器の使用状況を把握することができる。
【００２６】
本請求項１０に係る発明のセンサーシステムによれば、請求項９に係る発明が奏する効果に加えて、所定のセンサーが照度センサーである場合、所定時刻になったときに照度センサーのセンシング状況が通知されるため、照明機器がＯＮになったままか否かを管理者が知ることができ照明機器の消し忘れの確認をすることができる。
また、所定のセンサーが温度・湿度センサーである場合、所定時刻になったときに温度・湿度センサーのセンシング状況が通知されるため、エアコン機器がＯＮになったままか否かを管理者が知ることができエアコン機器の消し忘れの確認をすることができる。
【図面の簡単な説明】
【００２７】
【図１】本発明の第１実施例であるセンサーシステムを示す概念図。
【図２】（Ａ）（Ｂ）は本発明の第１実施例のセンサーシステムの設置場所を示す図および動作を示すチャート図。
【図３】（Ａ）（Ｂ）は本発明の第２実施例のセンサーシステムの設置場所を示す図および動作を示すチャート図。
【図４】（Ａ）（Ｂ）は本発明の第３実施例のセンサーシステムの設置場所を示す図および動作を示すチャート図。
【図５】（Ａ）（Ｂ）は本発明の第４実施例のセンサーシステムの設置場所を示す図および動作を示すチャート図。
【図６】（Ａ）（Ｂ）は本発明の第５実施例のセンサーシステムの設置場所を示す図および動作を示すチャート図。
【図７】（Ａ）（Ｂ）は本発明の第６実施例のセンサーシステムの設置場所を示す図および動作を示すチャート図。
【図８】（Ａ）（Ｂ）は本発明の第７実施例のセンサーシステムの設置場所を示す図および動作を示すチャート図。
【図９】（Ａ）（Ｂ）は本発明の第８実施例のセンサーシステムの設置場所を示す図および動作を示すチャート図。
【図１０】（Ａ）（Ｂ）は本発明の第９実施例のセンサーシステムの設置場所を示す図および動作を示すチャート図。
【発明を実施するための形態】
【００２８】
本発明のセンサーシステムは、所定のセンサーと、所定のセンサーと通信自在である制御端末とを備え、制御端末が、所定のセンサーのセンシング状況の変化に起因して所定の内容を所定の連絡先へ通知する、または所定の内容を所定のファイルに記録する構成であり、所定の内容および所定の連絡先または所定のファイルが、制御端末の表示画面上において設定自在な構成であることにより、ユーザーの要望に対応して手軽にカスタマイズして導入することができ、所定の指示や注文などの内容を予め登録した連絡先へ簡単に知らせることができる、または、所定のファイルに履歴を簡単に記録することができるものであれば、その具体的な実施態様は、如何なるものであっても構わない。
【００２９】
例えば、所定のセンサーは、入力信号に変換できるものであれば、ボタンセンサー、所謂、人感センサーである焦電センサー、所謂、動きセンサーである加速度センサーやジャイロセンサー、照度センサー、温度・湿度センサー、所謂、マイクである音声センサー、外部接続可能でセンサー機能を拡張する外部接続拡張センサーなど、如何なるものであっても構わない。
また、制御端末は、所定のセンサーと通信自在であればよく、スマートフォン端末、タブレット端末、コンピュータ端末など、如何なるものであっても構わない。
【実施例１】
【００３０】
以下に、本発明の第１実施例であるセンサーシステム１００について、図１乃至図２（Ｂ）に基づいて説明する。
ここで、図１は、本発明の第１実施例であるセンサーシステム１００を示す概念図であり、図２（Ａ）は、本発明の第１実施例のセンサーシステム１００の設置場所を示す図であり、図２（Ｂ）は、本発明の第１実施例のセンサーシステム１００の動作を示すチャート図である。
【００３１】
本発明の第１実施例であるセンサーシステム１００は、図１に示すように、所定のセンサーの一例であるボタンセンサー１１０Ａ、人感センサー１１０Ｂ、動きセンサー１１０Ｃ、照度センサー１１０Ｄ、温度・湿度センサー１１０Ｅ、外部接続可能でセンサー機能を拡張する外部接続拡張センサー１１０Ｆと、制御端末（通知・記録手段）の一例であるタブレット端末１２０とを有している。
制御端末であるタブレット端末１２０は、所定のセンサーのセンシング状況の変化に起因して所定の内容を所定の連絡先へ通知する、または所定の内容を所定のファイルに記録するように構成されている。
例えば、所定のセンサーの一例としてボタンセンサー１１０Ａを使用し、ボタンセンサー１１０Ａが押されたときに、通知音を発するとともに、所定の端末に電子メールで通知するように構成にする場合、先ず、タブレット端末１２０においてアプリケーションソフトウェアを起動させ、ボタンセンサー１１０Ａと、タブレット端末１２０とを互いに認識させるペアリング操作をする。
【００３２】
各センサー１１０Ａ〜１１０Ｆおよびタブレット端末１２０は、通信手段および電源をそれぞれ有しているため、センサー１１０Ａ〜１１０Ｆとタブレット端末１２０との間でデータ通信を行うことができる。
次に、アプリケーションソフトウェアを用いてタブレット端末１２０の表示画面１２１で、ボタンセンサー１１０Ａのタグを表示させる。
さらに、スピーカタグおよび電子メールタグを表示させる。
そして、タブレット端末１２０の表示画面１２１上において、ボタンセンサー１１０Ａのタグと、スピーカタグおよび電子メールタグとをそれぞれ接続する。
また、ボタンセンサー１１０Ａのタグで、条件設定として「Ｐｒｅｓｓｅｄ（押されたら）」を選択設定する。
【００３３】
スピーカタグで、条件設定としてタブレット端末１２０のスピーカを選択設定するとともに、再生する音声データを選択設定する。
電子メールタグで、条件設定として所定の連絡先の一例であるコンピュータ端末１３０のメールアドレスを設定するとともに、送る内容を設定する。
これにより、ユーザーがボタンセンサー１１０Ａを押したとき、設定された音声データの音声がタブレット端末１２０のスピーカから発せられる。
さらに、コンピュータ端末１３０に所定のメッセージの電子メールが送られる。
この際、非同期処理であってI/Oの結果を待たずに処理を進めるチャット用サーバを介してコンピュータから他のコンピュータへデータを送信し、所謂、プッシュ通知するチャットアプリケーションで通知する構成としてもよい。
【００３４】
続いて、センサーシステム１００を一例として会社の受付に設置した場合について説明する。
図２（Ａ）に示すように、ボタンセンサー１１０Ａおよびタブレット端末１２０が、受付に設置されている。
そして、所定の連絡先として、受付担当者のコンピュータ端末１３０のチャットＩＤや電子メールアドレスが設定されているとする。
また、ボタンセンサー１１０Ａは、ボタンが押されたとき、押された旨をタブレット端末１２０へ送信するように構成されている。
【００３５】
図２（Ｂ）に示すように、ステップＳ１では、ボタンセンサー１１０Ａが押されたか否かを、タブレット端末１２０の制御部（アプリケーションソフトウェア）が判定する。
そして、ボタンセンサー１１０Ａが押されたと判定した場合はステップＳ２へ進み、他方、まだ押されていないと判定した場合はステップＳ１を繰り返す。
ステップＳ２では、制御端末（通知・記録手段）であるタブレット端末１２０が、所定の連絡先の一例であるコンピュータ端末１３０へ所定の内容の一例として「受付にお客様がおみえです！」の旨のメッセージをチャットアプリケーションで送信する。
これにより、図２（Ａ）に示すように、コンピュータ端末１３０の表示モニタに「受付にお客様がおみえです！」の旨が表示され、受付担当者に通知される。
【００３６】
ステップＳ３では、制御端末（通知・記録手段）であるタブレット端末１２０が、スピーカを用いて、所定の内容の一例として「こんにちは！  係りの者を呼び出していますので、少々お待ちください！」の旨を話す。
これにより、来客者は、受付担当者への連絡があったことを確認し、待っていればよいことを理解する。
なお、一例として受付機能について説明したが、所定の消耗品を注文する注文機能、所定の指示をする指示機能、タクシーを呼び出すタクシー呼び出し機能として用いてもよい。
また、ボタンセンサー１１０Ａのボタンが押されたとき、タブレット端末１２０が、他のシステムを起動させるように構成してもよい。
例えば、本日の売り上げの集計システムを起動させて集計を開始させるように構成してもよい。その他、商品の在庫を確認するために基幹系システムなどを起動させるように構成してもよい。また、ボタン一つで、営業マンへの指示を出すように構成してもよい。さらに、ボタン一つで、全店舗への作業指示を出すように構成してもよい。
【００３７】
このようにして得られた本発明の第１実施例であるセンサーシステム１００は、所定のセンサーと、所定のセンサーと通信自在である制御端末の一例であるタブレット端末１２０とを備え、タブレット端末１２０が、所定のセンサーのセンシング状況の変化に起因して所定の内容を所定の連絡先へ通知する、または所定の内容を所定のファイルに記録する構成であり、所定の内容および所定の連絡先または所定のファイルが、タブレット端末１２０の表示画面１２１上において設定自在な構成であることにより、ユーザーの要望に対応して手軽にカスタマイズして導入することができ、通知する構成の場合、所定の指示や注文などの内容を予め登録した連絡先へ簡単に知らせることができ、記録する構成の場合、所定のファイルに履歴を簡単に記録することができる。
【００３８】
さらに、所定のセンサーが、ボタンセンサー１１０Ａであり、制御端末（通知・記録手段）であるタブレット端末１２０が、ボタンセンサー１１０Ａのセンシング状況の変化に起因して所定の内容を所定の連絡先へ通知する構成であることにより、所謂、ワンタッチで所定の指示、呼び出しや注文などの内容を予め登録した連絡先へ直ちに知らせることができるなど、その効果は甚大である。
【実施例２】
【００３９】
続いて、本発明の第２実施例であるセンサーシステム１００について、図３（Ａ）および図３（Ｂ）に基づいて説明する。
ここで、図３（Ａ）は、本発明の第２実施例のセンサーシステム１００の設置場所を示す図であり、図３（Ｂ）は、本発明の第２実施例のセンサーシステム１００の動作を示すチャート図である。
第２実施例のセンサーシステム１００は、第１実施例のセンサーシステム１００の用途を匿名のアンケート回答としたものであり、多くの要素について第１実施例のセンサーシステム１００と共通するので、共通する事項については詳しい説明を省略する。
【００４０】
図３（Ａ）に示すように、センサーシステム１００の３つのボタンセンサー１１０Ａおよびタブレット端末１２０が、一例として展示会のブースに設置されている。
そして、タブレット端末１２０が、スピーカを用いて「こんにちは！  アンケートを実施しています！」の旨を来場者に呼びかけている。
タブレット端末１２０の表示画面１２１には、アンケート回答の選択肢Ａ〜Ｃが表示され、３つのボタンセンサー１１０ＡのボタンのＡ〜Ｃと対応している。
つまり、３つのボタンセンサー１１０Ａは、それぞれのボタンが押されたとき、押された旨の信号をタブレット端末１２０へ送信するように構成されている。
図３（Ｂ）に示すように、ステップＳ１１では、ボタンセンサー１１０Ａが押されたか否かを、タブレット端末１２０の制御部が判定する。
そして、ボタンセンサー１１０Ａが押されたと判定した場合はステップＳ１２へ進み、他方、まだ押されていないと判定した場合はステップＳ１１を繰り返す。
【００４１】
ステップＳ１２では、制御端末（通知・記録手段）であるタブレット端末１２０が、ボタンセンサー１１０ＡのボタンＡ〜Ｃに対応させてサーバ１４０の所定のファイルに記録するとともに、このステップをカウントする。
つまり、アンケート回答の選択肢Ａのボタンセンサー１１０Ａが押された場合は、選択肢Ａが選択された旨を所定のファイルに記録するとともに、選択肢Ａとしてのこのステップをカウントする。
これにより、匿名アンケートの質問に対して回答がボタンセンサー１１０Ａで押されることで選択肢の内容が所定のファイルに記録される。
なお、３つのボタンセンサー１１０Ａを用いてアンケート回答の選択肢をＡ〜Ｃの三択としたが、２つのボタンセンサー１１０Ａを用いて二択や４つ以上のボタンセンサー１１０Ａを用いて四択以上でもよいのは言うまでもない。
【００４２】
このようにして得られた本発明の第２実施例であるセンサーシステム１００では、所定のセンサーが、アンケートの質問に対する回答の選択肢と対応した複数のボタンセンサー１１０Ａであり、制御端末であるタブレット端末１２０が、ボタンセンサー１１０Ａのセンシング状況の変化に起因して所定の内容をサーバ１４０の所定のファイルに記録する構成であることにより、匿名アンケートの回答を簡単に集計することができるなど、その効果は甚大である。
【実施例３】
【００４３】
以下に、本発明の第３実施例であるセンサーシステム１００について、図４（Ａ）および図４（Ｂ）に基づいて説明する。
ここで、図４（Ａ）は、本発明の第３実施例のセンサーシステム１００の設置場所を示す図であり、図４（Ｂ）は、本発明の第３実施例のセンサーシステム１００の動作を示すチャート図である。
第３実施例のセンサーシステム１００は、第１実施例のセンサーシステム１００の用途をドアの開閉ログ収集としたものであり、多くの要素について第１実施例および第２実施例のセンサーシステム１００と共通するので、共通する事項については詳しい説明を省略する。
【００４４】
図４（Ａ）に示すように、センサーシステム１００の動きセンサー１１０Ｃが、一例として揺動開閉式のドアの上部の自由端側に設置されている。
動きセンサー１１０Ｃは、動きを検出したとき、タブレット端末１２０へその旨の信号を送信するように構成されている。
図４（Ｂ）に示すように、ステップＳ２１では、動きセンサー１１０Ｃのセンシング状況に変化があったか否かを、タブレット端末１２０の制御部が判定する。
つまり、動きセンサー１１０Ｃが動きを検出したか否かを、タブレット端末１２０の制御部が判定する。
そして、動きを検出したと判定した場合はステップＳ２２へ進み、他方、まだ検出していないと判定した場合はステップＳ２１を繰り返す。
【００４５】
ステップＳ２２では、制御端末（通知・記録手段）であるタブレット端末１２０が、ドア操作があった旨をサーバ１４０の所定のファイルに記録するとともに、このステップをカウントする。
また、制御端末（通知・記録手段）であるタブレット端末１２０が、ドア操作があった旨のメッセージを所定の連絡先の一例として管理者のコンピュータ端末１３０へ送信して通知する。
これにより、ドアが動くと、その度に動いた旨が所定のファイルに記録されるとともに、所定の連絡先であるコンピュータ端末１３０の表示パネルに通知される。
なお、揺動開閉式のドアに動きセンサー１１０Ｃを取り付けたが、スライド開閉式のドアでもよいのは言うまでもない。
さらに、ドアの開閉を検知したときに、カメラで撮影するように構成してもよい。
また、ドアの動きを検知したときに、スピーカで「ドアを閉めて下さい！」の旨を話すように構成してもよい。
【００４６】
このようにして得られた本発明の第３実施例であるセンサーシステム１００では、所定のセンサーが、加速度センサーまたはジャイロセンサーである動きセンサー１１０Ｃであり、制御端末（通知・記録手段）であるタブレット端末１２０が、動きセンサー１１０Ｃのセンシング状況の変化に起因して所定の内容をサーバ１４０の所定のファイルに記録する構成であることにより、所定のファイルに履歴を簡単に記録することができるなど、その効果は甚大である。
【実施例４】
【００４７】
続いて、本発明の第４実施例であるセンサーシステム１００について、図５（Ａ）および図５（Ｂ）に基づいて説明する。
ここで、図５（Ａ）は、本発明の第４実施例のセンサーシステム１００の設置場所を示す図であり、図５（Ｂ）は、本発明の第４実施例のセンサーシステム１００の動作を示すチャート図である。
第４実施例のセンサーシステム１００は、第１実施例のセンサーシステム１００の用途をメンバーへのお知らせ・注意としたものであり、多くの要素について第１実施例〜第３実施例のセンサーシステム１００と共通するので、共通する事項については詳しい説明を省略する。
【００４８】
図５（Ａ）に示すように、センサーシステム１００の人感センサー１１０Ｂおよびタブレット端末１２０が、一例として複数のゴミ箱から構成される所謂、屋内ゴミステーションの近傍に設置されている。
ゴミ箱には、一例として、もえるゴミ用、もえないゴミ用、プラスチック用、びん・カン用、ペットボトル用がある。
屋内ゴミステーションに人が近づいて人感センサー１１０Ｂが人を検知したとき、人感センサー１１０Ｂは、人が近づいた旨の信号をタブレット端末１２０へ送信するように構成されている。
【００４９】
図５（Ｂ）に示すように、ステップＳ３１では、人感センサー１１０Ｂのセンシング状況に変化があったか否かを、タブレット端末１２０の制御部が判定する。
つまり、人感センサー１１０Ｂが人を検知したか否かを、タブレット端末１２０の制御部が判定する。
そして、人感センサー１１０Ｂが人を検知した場合はステップＳ３２へ進み、他方、まだ人を検知していないと判定した場合はステップＳ３１を繰り返す。
【００５０】
ステップＳ３２では、制御端末（通知・記録手段）であるタブレット端末１２０が、タブレット端末１２０のスピーカを用いて、一例として「こんにちは！  ゴミの分別お願いします！」の旨を話す。
これにより、人が近づいたときに音声で所定の内容のお知らせが通知される。
さらに、制御端末（通知・記録手段）であるタブレット端末１２０が、タブレット端末１２０の表示画面１２１に、一例として「ゴミの分別お願いします！」の旨を表示する。
これにより、メンバーに聴力の弱い人がいる場合であっても、視覚により通知することができる。
【００５１】
なお、屋内ゴミステーションにおいてゴミの分別の注意について説明したが、他の場所で他の内容を音声で通知する構成でもよい。
例えば、コピー機の近くに人が来たときに「個人情報の印刷物はシュレッターして下さい！」と伝えることができる。
さらに、社員食堂で注文場所の近くに社員が来たときに「本日のお勧めメニューはハンバーグ定食です！」と伝えることができる。
通路で人が近くに来たときに「インフルエンザが流行っています。手洗いして予防しましょう！」と伝えることができる。
トイレの近くに人が来たときに「終了時、電気を消して下さい！」と伝えることができる。
社内の植物の近くに人が来たときに「私（植物）にお水を下さい！」と伝えることができる。
ドアの近くに人が来たときに「ドアを必ず閉めて下さい！」と伝えることができる。監視機能として侵入禁止の場所付近に人が来たときに「侵入禁止の場所です。担当者に連絡しました！」と警告することができる。
店頭付近に人が来たときに「いらっしゃいませ！  ボタンと押して店員を呼んで下さい！」と伝えることができる。
人が通過したとき、数回に一度の割合で「営業頑張って下さいね！  今日の運勢は大吉です！」と励ますことができる。この場合、所定回数だけ人を検知したら、１回音声を発するように構成すればよい。
また、タブレット端末１２０においてスイッチタグを用いてプロセスルートを定期的に変更して音声の内容を定期的に変更してもよいし、プロセスルートを毎回変更して音声の内容を毎回変更してもよい。メッセージの内容だけでなく、声を変えることもでき、メンバーの声がその都度、順番に再生させるように構成してもよい。
【００５２】
このようにして得られた本発明の第４実施例であるセンサーシステム１００では、所定のセンサーが、焦電センサーである人感センサー１１０Ｂであり、制御端末（通知・記録手段）であるタブレット端末１２０が、人感センサー１１０Ｂのセンシング状況の変化に起因して所定の内容を所定のスピーカを用いて音声で通知する構成であることにより、人感センサー１１０Ｂに接近した人にお知らせや注意を簡単に伝えることができるなど、その効果は甚大である。
【実施例５】
【００５３】
続いて、本発明の第５実施例であるセンサーシステム１００について、図６（Ａ）および図６（Ｂ）に基づいて説明する。
ここで、図６（Ａ）は、本発明の第５実施例のセンサーシステム１００の設置場所を示す図であり、図６（Ｂ）は、本発明の第５実施例のセンサーシステム１００の動作を示すチャート図である。
第５実施例のセンサーシステム１００は、第１実施例のセンサーシステム１００の用途を社内体操タイムとしたものであり、多くの要素について第１実施例〜第４実施例のセンサーシステム１００と共通するので、共通する事項については詳しい説明を省略する。
【００５４】
図６（Ａ）に示すように、センサーシステム１００のボタンセンサー１１０Ａおよびタブレット端末１２０が、一例として会社のオフィスに設置されている。
ボタンセンサー１１０Ａは、ボタンが押されたとき、押された旨の信号をタブレット端末１２０へ送信するように構成されている。
図６（Ｂ）に示すように、ステップＳ４１では、ボタンセンサー１１０Ａが押されたか否かを、タブレット端末１２０の制御部が判定する。
そして、ボタンセンサー１１０Ａが押されたと判定した場合はステップＳ４２へ進み、他方、まだ押されていないと判定した場合はステップＳ４１を繰り返す。
【００５５】
ステップＳ４２では、制御端末（通知・記録手段）であるタブレット端末１２０が、タブレット端末１２０のスピーカを用いて、所定の音声データの一例として「みなさん、お疲れさまです！  ちょっと一息ついて、音楽に合わせて体操をしましょう！」の旨を再生し、その後、所定の音楽やラジオ体操の音声・音楽を再生する。
これにより、ユーザーがボタンセンサー１１０Ａを押すだけで、所定の内容がスピーカを用いて音声で通知される。
さらに、制御端末（通知・記録手段）であるタブレット端末１２０が、タブレット端末１２０の表示画面１２１に、「体操タイム！」の旨を表示する。
これにより、社員に聴力の弱い人がいる場合であっても、視覚により通知することができる。
なお、本実施例では、一例として社内体操の内容を通知したが、場所や内容を他の場所や内容に変えてもよいのは言うまでもない。
【００５６】
このようにして得られた本発明の第５実施例であるセンサーシステム１００では、所定のセンサーが、ボタンセンサー１１０Ａであり、制御端末（通知・記録手段）であるタブレット端末１２０が、ボタンセンサー１１０Ａのセンシング状況の変化に起因して所定の内容を所定のスピーカを用いて音声で通知する構成であることにより、所謂、ワンタッチで所定の連絡事項などの内容を多数の人に知らせることができるなど、その効果は甚大である。
【実施例６】
【００５７】
続いて、本発明の第６実施例であるセンサーシステム１００について、図７（Ａ）および図７（Ｂ）に基づいて説明する。
ここで、図７（Ａ）は、本発明の第６実施例のセンサーシステム１００の設置場所を示す図であり、図７（Ｂ）は、本発明の第６実施例のセンサーシステム１００の動作を示すチャート図である。
第６実施例のセンサーシステム１００は、第１実施例のセンサーシステム１００の用途を出退勤タイム管理としたものであり、多くの要素について第１実施例〜第５実施例のセンサーシステム１００と共通するので、共通する事項については詳しい説明を省略する。
【００５８】
図７（Ａ）に示すように、センサーシステム１００の２つのボタンセンサー１１０Ａおよびタブレット端末１２０が、一例として会社の従業員用出入り口近傍に設置されている。
ボタンセンサー１１０Ａは、出勤用と退勤用とがあり、それぞれのボタンが押されたとき、押された旨の信号をタブレット端末１２０へ送信するように構成されている。
また、タブレット端末１２０のカメラ１２２（画像センサー）が、目の前の人物を撮影し、タブレット端末１２０が、撮影した画像データをサーバ１４０にある個人識別手段の一例である人工知能画像認識手段に伝えるように構成されている。
人工知能画像認識手段には、クラウド（サーバ）上で提供されているアプリケーションプログラミングインタフェース（Application Programming Interface、以下ＡＰＩという）で、写真に写っている人物の感情を認識するものや、写真に写っている人物の顔から性別、年齢、服装、行っている動作、著名人や登録されている人物であれば名前、などを認識するものがある。
予め撮影した社員の顔の画像データをデータベースに登録してあるものとする。
【００５９】
より具体的に、タブレット端末１２０の制御部は、無線通信を用いて、画像データをクラウド（サーバ）上のＡＰＩへアップロードして画像データを伝える。
すると、タブレット端末１２０の制御部は、瞬時にＡＰＩからフィードバック情報を受け取る。
具体的には、ＡＰＩに伝えた画像データに誰が写っているかについての情報を受ける。
つまり、社員の誰であるかについての推定情報がフィードバックされる。
その結果、社員の誰であるかを簡単に特定することができる。
なお、個人識別手段は、人工知能画像認識手段に限らず、例えば、ＩＣカードタイプの社員証や定期券をＩＣカードリーダーで読み取って個人を識別する構成でもよい。
【００６０】
図７（Ｂ）に示すように、ステップＳ５１では、個人識別手段の一例である人工知能画像認識手段がユーザーを特定する。
具体的には、上述したように、タブレット端末１２０が、人感センサー１１０Ｂによって目の前に人が来たことを検知したときに目の前の人を撮影した画像データをサーバ１４０にある個人識別手段の一例である人工知能画像認識手段に伝え、人工知能画像認識手段から例えば「社員の鈴木さん」の旨の情報のフィードバックを受ける。
ステップＳ５２では、ボタンセンサー１１０Ａが押されたか否かを、タブレット端末１２０の制御部が判定する。
そして、ボタンセンサー１１０Ａが押されたと判定した場合はステップＳ５３へ進み、他方、まだ押されていないと判定した場合はステップＳ５２を繰り返す。
【００６１】
ステップＳ５３では、制御端末（通知・記録手段）であるタブレット端末１２０が、ボタンセンサー１１０Ａの出勤ボタン、退勤ボタンによる出勤・退勤情報とユーザー特定情報である鈴木さんと対応させてサーバ１４０の所定のファイルに記録する。
これにより、ボタンセンサー１１０Ａを押すだけで出退勤が記録されるとともに個人が特定される。
【００６２】
このようにして得られた本発明の第６実施例であるセンサーシステム１００は、個人識別手段の一例として人工知能画像認識手段をさらに有し、所定のセンサーが、ボタンセンサー１１０Ａであり、人工知能画像認識手段がユーザーを特定するとともに、制御端末（通知・記録手段）であるタブレット端末１２０が、ボタンセンサー１１０Ａのセンシング状況の変化に起因して出退勤の内容をユーザーと対応させてサーバ１４０の所定のファイルに記録する構成であることにより、特定された個人と対応させて出退勤情報を簡単に記録することができるなど、その効果は甚大である。
【実施例７】
【００６３】
続いて、本発明の第７実施例であるセンサーシステム１００について、図８（Ａ）および図８（Ｂ）に基づいて説明する。
ここで、図８（Ａ）は、本発明の第７実施例のセンサーシステム１００の設置場所を示す図であり、図８（Ｂ）は、本発明の第７実施例のセンサーシステム１００の動作を示すチャート図である。
第７実施例のセンサーシステム１００は、第１実施例のセンサーシステム１００の用途を通行人のカウントとしたものであり、多くの要素について第１実施例〜第６実施例のセンサーシステム１００と共通するので、共通する事項については詳しい説明を省略する。
【００６４】
図８（Ａ）に示すように、センサーシステム１００の人感センサー１１０Ｂが、一例として廊下に設置されている。
廊下を通る人が人感センサー１１０Ｂに近づいて人感センサー１１０Ｂが人を検知したとき、人感センサー１１０Ｂは、人が通過した旨の信号をタブレット端末１２０へ送信するように構成されている。
【００６５】
図８（Ｂ）に示すように、ステップＳ６１では、人感センサー１１０Ｂのセンシング状況に変化があったか否かを、タブレット端末１２０の制御部が判定する。
つまり、人感センサー１１０Ｂが人を検知したか否かを、タブレット端末１２０の制御部が判定する。
そして、人感センサー１１０Ｂが人を検知した場合はステップＳ６２へ進み、他方、まだ人を検知していないと判定した場合はステップＳ６１を繰り返す。
【００６６】
ステップＳ６２では、制御端末（通知・記録手段）であるタブレット端末１２０が、人の検知があった旨をサーバ１４０の所定のファイルに記録するとともに、このステップをカウントする。
これにより、人が近くを通過すると所定のファイルにその旨が記録される。
なお、制御端末（通知・記録手段）であるタブレット端末１２０が、人の検知があった旨のメッセージを所定の連絡先の一例として管理者のコンピュータ端末１３０へ送信して通知してもよい。
これにより、人が近くを通過すると、人の通過の旨が所定のファイルに記録されるとともに、所定の連絡先であるコンピュータ端末１３０の表示パネルに通知される。
【００６７】
このようにして得られた本発明の第７実施例であるセンサーシステム１００では、所定のセンサーが、焦電センサーである人感センサー１１０Ｂであり、制御端末（通知・記録手段）であるタブレット端末１２０が、人感センサー１１０Ｂのセンシング状況の変化に起因して所定の内容をサーバ１４０の所定のファイルに記録する構成であることにより、通行人を簡単にカウントすることができるなど、その効果は甚大である。
【実施例８】
【００６８】
続いて、本発明の第８実施例であるセンサーシステム１００について、図９（Ａ）および図９（Ｂ）に基づいて説明する。
ここで、図９（Ａ）は、本発明の第８実施例のセンサーシステム１００の設置場所を示す図であり、図９（Ｂ）は、本発明の第８実施例のセンサーシステム１００の動作を示すチャート図である。
第８実施例のセンサーシステム１００は、第１実施例のセンサーシステム１００の用途を照明機器利用状況確認としたものであり、多くの要素について第１実施例〜第７実施例のセンサーシステム１００と共通するので、共通する事項については詳しい説明を省略する。
【００６９】
図９（Ａ）に示すように、センサーシステム１００の所定のセンサーの一例である照度センサー１１０Ｄが、一例として会社のオフィスの会議室ＭＲ内に設置されている。
照明機器ＬＴのスイッチのＯＮ・ＯＦＦが切り替わって照明がついたり消えたりして照度の値が所定量以上変化した場合、または、所定の閾値を超えたとき、照度センサー１１０Ｄは、変化後の照度値に基づいて照明ＯＮの旨または照明ＯＦＦの旨の信号をタブレット端末１２０へ送信するように構成されている。
【００７０】
図９（Ｂ）に示すように、ステップＳ７１では、照度センサー１１０Ｄのセンシング状況の変化があったか否かを、タブレット端末１２０の制御部が判定する。
つまり、照度センサー１１０Ｄが照明ＯＮまたは照明ＯＦＦを検知したか否かを、タブレット端末１２０の制御部が判定する。
そして、照度センサー１１０Ｄが照明ＯＮまたは照明ＯＦＦを検知した場合はステップＳ７２へ進み、他方、まだ照明ＯＮまたは照明ＯＦＦを検知していないと判定した場合はステップＳ７１を繰り返す。
【００７１】
ステップＳ７２では、制御端末（通知・記録手段）であるタブレット端末１２０が、所定の連絡先の一例である管理者のコンピュータ端末１３０へ所定の内容の一例として「照明がＯＮになりました！」の旨のメッセージをチャットアプリケーションで送信する。
これにより、会議室ＭＲ（部屋）の照明機器ＬＴのスイッチが操作されて照度が変化すると管理者のコンピュータ端末１３０に通知される。
さらに、制御端末（通知・記録手段）であるタブレット端末１２０が、履歴としてサーバ１４０の所定のファイルに「照明がＯＮになりました！」の旨を記録する。
これにより、会議室ＭＲのスイッチ操作があると所定のファイルにその旨が記録される。
【００７２】
なお、照度センサー１１０Ｄを用いて会議室ＭＲの照度値が変化したことを検知したが、照度センサー１１０Ｄを温度・湿度センサー１１０Ｅに変えて会議室ＭＲの温度・湿度の変化を検知するように構成してもよい。
温度・湿度センサー１１０Ｅの場合、エアコン機器ＡＣ（空気調和設備ともいう）のスイッチのＯＮ・ＯＦＦが切り替わって室温度・湿度の値が所定量以上変化した場合、または、所定の閾値を超えたとき、温度・湿度センサー１１０Ｅは、変化後の温度・湿度値に基づいてエアコンＯＮの旨またはエアコンＯＦＦの旨の信号をタブレット端末１２０へ送信するように構成すればよい。
【００７３】
このようにして得られた本発明の第８実施例であるセンサーシステム１００では、所定のセンサーが、照度センサー１１０Ｄまたは温度・湿度センサー１１０Ｅであり、制御端末（通知・記録手段）であるタブレット端末１２０が、照度センサー１１０Ｄまたは温度・湿度センサー１１０Ｅのセンシング状況の変化に起因して変化した旨を所定の連絡先の一例であるコンピュータ端末１３０へ通知する構成であることにより、所定のセンサーが照度センサー１１０Ｄである場合、管理者は照明の使用状況を把握することができ、所定のセンサーが温度・湿度センサー１１０Ｅである場合、管理者はエアコン機器ＡＣの使用状況を把握することができるなど、その効果は甚大である。
【実施例９】
【００７４】
続いて、本発明の第９実施例であるセンサーシステム１００について、図１０（Ａ）および図１０（Ｂ）に基づいて説明する。
ここで、図１０（Ａ）は、本発明の第９実施例のセンサーシステム１００の設置場所を示す図であり、図１０（Ｂ）は、本発明の第９実施例のセンサーシステム１００の動作を示すチャート図である。
第９実施例のセンサーシステム１００は、第１実施例のセンサーシステム１００の用途をエアコン機器ＡＣの消し忘れ確認としたものであり、多くの要素について第１実施例〜第８実施例のセンサーシステム１００と共通するので、共通する事項については詳しい説明を省略する。
【００７５】
図１０（Ａ）に示すように、センサーシステム１００の所定のセンサーの一例である温度・湿度センサー１１０Ｅが、一例として会社のオフィスの会議室ＭＲ内に設置されている。
また、タブレット端末１２０が、現在時刻が所定時刻の一例として午後１０：００になったか否かを判定する時間制御部を有している。
そして、所定時刻である午後１０：００になったと判定したとき、タブレット端末１２０が、温度・湿度センサー１１０Ｅのセンシング状況として温度・湿度値を温度・湿度センサー１１０Ｅから取得し、温度・湿度値の情報を所定の連絡先の一例である管理者のコンピュータ端末１３０へ通知するように構成されている。
【００７６】
図１０（Ｂ）に示すように、ステップＳ８１では、タブレット端末１２０の時間制御部が、現在時刻が所定時刻である午後１０：００になったか否かを判定する。
そして、現在時刻が午後１０：００になったと判定した場合はステップＳ８２へ進み、他方、まだ午後１０：００になっていないと判定した場合はステップＳ８１を繰り返す。
ステップＳ８２では、制御端末（通知・記録手段）であるタブレット端末１２０が、温度・湿度値を温度・湿度センサー１１０Ｅから取得し、温度・湿度値の情報を所定の連絡先の一例である管理者のコンピュータ端末１３０へ通知する。
これにより、所定時刻になったときに温度・湿度センサー１１０Ｅのセンシング状況が管理者のコンピュータ端末１３０に通知される。
【００７７】
なお、制御端末（通知・記録手段）であるタブレット端末１２０が、履歴としてサーバ１４０の所定のファイルに温度・湿度値を記録してもよい。
さらに、温度・湿度値の情報をコンピュータ端末１３０へ通知したが、温度・湿度値に基づいて、エアコンＯＮかエアコンＯＦＦかを判定して判定結果をコンピュータ端末１３０へ通知するように構成してもよい。
また、温度・湿度センサー１１０Ｅを用いて会議室ＭＲの温度・湿度値を取得して通知したが、温度・湿度センサー１１０Ｅを照度センサー１１０Ｄに変更して会議室ＭＲの照明機器ＬＴの消し忘れを確認するように構成してもよい。
【００７８】
このようにして得られた本発明の第９実施例であるセンサーシステム１００は、制御端末（通知・記録手段）が、時間制御部をさらに有し、所定時刻になったとき、制御端末（通知・記録手段）であるタブレット端末１２０が、照度センサー１１０Ｄまたは温度・湿度センサー１１０Ｅのセンシング状況を所定の連絡先へ通知する構成であることにより、所定のセンサーが照度センサー１１０Ｄである場合、照明機器ＬＴがＯＮになったままか否かを管理者が知ることができ照明機器ＬＴの消し忘れの確認をすることができ、所定のセンサーが温度・湿度センサー１１０Ｅである場合、エアコン機器ＡＣがＯＮになったままか否かを管理者が知ることができエアコン機器ＡＣの消し忘れの確認をすることができるなど、その効果は甚大である。
【符号の説明】
【００７９】
１００  ・・・  センサーシステム
１１０Ａ・・・  ボタンセンサー
１１０Ｂ・・・  人感センサー（焦電センサー）
１１０Ｃ・・・  動きセンサー（加速度センサー、ジャイロセンサー）
１１０Ｄ・・・  照度センサー
１１０Ｅ・・・  温度・湿度センサー
１１０Ｆ・・・  外部接続拡張センサー
１２０  ・・・  タブレット端末（制御端末、通知・記録手段、音声センサー、スピーカ、個人識別手段）
１２１  ・・・  表示画面
１２２  ・・・  カメラ（画像センサー）
１３０  ・・・  所定のコンピュータ端末
１４０  ・・・  サーバ（記録手段）
ＭＲ    ・・・  会議室（部屋）
ＬＴ    ・・・  照明機器
ＡＣ    ・・・  エアコン機器（空気調和設備）
【図１】
2019140422.tif 000003
【図２】
2019140422.tif 000004
【図３】
2019140422.tif 000005
【図４】
2019140422.tif 000006
【図５】
2019140422.tif 000007
【図６】
2019140422.tif 000008
【図７】
2019140422.tif 000009
【図８】
2019140422.tif 000010
【図９】
2019140422.tif 000011
【図１０】
2019140422.tif 000012